(57)【要約】【課題】宅配便の依頼時に到着までの所要日数を簡単にかつ間違いなく知ることができるサービスレベル表を提供すること。【解決手段】台紙１０とその台紙より小さく且つ台紙に対して中心で回転が可能なように取り付けられた円形状の回転板２０とからなり、台紙１０には回転板２０の中心に対応する位置から放射状に均等分割された複数の表示区画１１が設けられ、回転板２０には台紙１０における一つの表示区画１１に対応した窓２１が形成されており、回転板２０には窓２１に隣接するところに発送日として七曜日が表示され、台紙１０の各表示区画１１はそれぞれ別の送り先地域に対応しているとともに、各表示区画１１には回転板２０における発送日の七曜日に対応して当該送り先地域への所要日数が分かる表示が曜日毎に設けられている。【選択図】図１
0003127802.tif 000002
【実用新案登録請求の範囲】
【請求項１】
台紙とその台紙より小さく且つ台紙に対して中心で回転が可能なように取り付けられた円形状の回転板とからなり、台紙には回転板の中心に対応する位置から放射状に均等分割された複数の表示区画が設けられ、回転板には台紙における一つの表示区画に対応した窓が形成されており、回転板には窓に隣接するところに発送日として七曜日が表示され、台紙の各表示区画はそれぞれ別の送り先地域に対応しているとともに、各表示区画には回転板における発送日の七曜日に対応して当該送り先地域への所要日数又は到着曜日が分かる表示が曜日毎に設けられていることを特徴とするサービスレベル表。
【考案の詳細な説明】
【技術分野】
【０００１】
本考案は、宅配便の依頼時に際して所要日数を知るために使用されるサービスレベル表に関するものである。
【背景技術】
【０００２】
従来、配送業者に宅配便を依頼するに際しては、料金を知ることもさることながら、送り先に到着するまでの所要日数を把握してから依頼するのが通例である。そして、所要日数を知るには、通常よく利用される表形式のもの、すなわち、送り先地域ごとに所要日数を表示した一覧表を準備するのが一般的である。そして、このような一覧表はサービスレベル表とも呼ばれており、例えば外国便では、縦列に発送曜日を区分表示するとともに横列に送り先地域を区分表示したマトリックス状の表が使用されている。
【特許文献１】実用新案登録第２５８６９５４号公報
【考案の開示】
【考案が解決しようとする課題】
【０００３】
従来の技術で説明したマトリックス状サービスレベル表は、縦列の発送曜日と横列の送り先地域の交差したところを探して所要日数を知ることができる。しかしながら、外国便の場合を例にとると、発送曜日は月曜日〜日曜日の７日あり、送り先は近隣諸国を括ったとしてもかなりの数になるため、縦列及び横列ともに数が多い複雑な表になっているのが実情である。そして、縦列と横列をそれぞれ指でたどるなどして調べるため、注意して調べないと読み間違いが起こりやすいやすいという問題があり、特に到達に期限のあるようなものの場合はよほど注意して読み取らなければならない。
【０００４】
本考案は、このような問題点に鑑みてなされたものであり、その目的とするところは、宅配便の依頼時に到着までの所要日数を簡単にかつ間違いなく知ることができるサービスレベル表を提供することにある。
【課題を解決するための手段】
【０００５】
上記の目的を達成するため、本考案のサービスレベル表は、台紙とその台紙より小さく且つ台紙に対して中心で回転が可能なように取り付けられた円形状の回転板とからなり、台紙には回転板の中心に対応する位置から放射状に均等分割された複数の表示区画が設けられ、回転板には台紙における一つの表示区画に対応した窓が形成されており、回転板には窓に隣接するところに発送日として七曜日が表示され、台紙の各表示区画はそれぞれ別の送り先地域に対応しているとともに、各表示区画には回転板における発送日の七曜日に対応して当該送り先地域への所要日数又は到着曜日が分かる表示が曜日毎に設けられていることを特徴としている。
【考案の効果】
【０００６】
本考案のサービスレベル表は、台紙上の回転板を回転させてその窓を台紙にある所望の送り先地域に合わせると、その送り先地域に荷物が到達するまでの所要日数を発送した曜日に対応して一目で見てとれるので、宅配便の依頼時に到着までの所要日数を簡単にかつ間違いなく知ることができる。
【考案を実施するための最良の形態】
【０００７】
以下、図面を参照して本考案の実施の形態を説明する。
【０００８】
図１は本考案に係るサービスレベル表の一例を示す平面図、図２は図１のサービスレベル表を分解状態で示す平面図、図３は一部を拡大して示す使用説明図である。
【０００９】
このサービスレベル表は、円形状の台紙１０とそれより一回り小さな円形状の回転板２０とからなり、台紙１０に対して中心で回転が可能なように回転板２０を止め具にて取り付けてある。止め具はプラスチック製の雄部材３１と雌部材３２とで構成される公知のものを使用すればよく、雄部材３１の突起に台紙１０と回転板２０の中心孔を順次通してから、雌部材３２を嵌合することで簡単に止めることができる。
【００１０】
台紙１０と回転板２０はいずれも少し厚めの紙やプラスチックシートなどで構成されるものであり、台紙１０には中心から放射状に均等分割された複数の表示区画１１が設けられている。一方、回転板２０には台紙１０における一つの表示区画１１に対応した窓２１が形成されており、その窓２１に隣接するところに発送日として七曜日が縦方向に並んだ状態で表示されている。
【００１１】
台紙１０の各表示区画１１はそれぞれ別の送り先地域に対応している。この例で用いた台紙１０は、表示区画１１の外側にリング状の二重の送り先表示領域が設けられており、図２に示すように、内側の送り先表示領域１２には、表示区画１１ごとに一つの国や複数の国、或いは都市のように小さな地域名が記載され、外側の送り先表示領域１３には、小さな地域を複数まとめる形で大きな地域名が記載されている。そして、各表示区画１１には回転板２０における発送日の七曜日に対応して当該送り先地域への所要日数が分かる表示が曜日毎に設けられている。所要日数が分かる表示としては、所要日数そのものでもよいし、送り先に荷物が到着する曜日でもよいし、何日後に到着するかでもよく、これらを併記してもよい。
【００１２】
台紙におけるリング状の二重の送り先表示領域１２，１３の表示は、宅配業者が状況に応じて種々考えらればよいものであるが、実用的な一例を挙げれば次のようである。
【００１３】
外側の送り先表示領域１３は、１３ａが「アジア」、１３ｂが「オセアニア・北米・中米」、１３ｃが「ヨーロッパ・中東」、１３ｄが「アフリカ、南米、その他」であり、内側の送り先表示領域１２は、１３ａの下位として、１２ａが「北京」、１２ｂが「上海」、１２ｃが「韓国・香港・台湾、フィリピン・シンガポール」、１２ｄが「マレーシア・タイ・インドネシア・インド」、１２ｅが「ベトナム」であり、１３ｂの下位として、１２ｆが「アメリカ・カナダ・メキシコ」、１２ｇが「オーストラリア・ニュージランド」であり、１３ｃの下位として、１２ｈが「ポーランド・チェコ・スロバキア・スロベニア・ギリシャ」、１２ｉが「フィンランド・ノルウェー・スウェーデン・エストニア・ラトビア・リトアニア」、１２ｊが「イタリア・スペイン・ハンガリー・デンマーク・アイルランド・トルコ」、１２ｋが「イギリス・フランス・ドイツ・オランダ・ベルギー・スイス・オーストリア」であり、１３ｄの下位として、１２ｌが「ロシア」、１２ｍが「エクアドル・ペルー・チリ・アルゼンチン」、１２ｎが「ベネゼエラ・コロンビア・ブラジル」、１２ｏが「南アフリカ」である。
【００１４】
上記のサービスレベル表は、宅配便が到着するまでの所要日数を知りたい時に、回転板２０を回転させてその窓２１を台紙１０にある所望の送り先地域に合わせるようにして使用する。図３は荷物をアメリカに送る場合を示しており、この場合の手順を説明すると次のようである。
【００１５】
まず、外側の送り先表示領域１３のうち「オセアニア・北米・中米」（１３ｂ）を選択し、次いで、内側の送り先表示領域１２のうち「アメリカ・カナダ・メキシコ」（１２ｆ）を選択してその表示区画に窓２１を合わせる。すると、回転板２０に記載した発送曜日に対応して窓２１の中に到着曜日と何日後に到着するかが記載されているので、依頼する荷物の発送曜日の右側を見ることで、到着までの所要日数を簡単にかつ間違いなく知ることができる。
【００１６】
以上、本考案の実施の形態について詳細に説明してきたが、本考案によるサービスレベル表は、上記実施の形態に何ら限定されるものではなく、本考案の趣旨を逸脱しない範囲において種々の変更が可能であることは当然のことである。
【００１７】
例えば、台紙は円形状である必要はなく、回転板より大きいサイズであれば矩形状を始めとして任意の形状でも構わない。
【図面の簡単な説明】
【００１８】
【図１】本考案に係るサービスレベル表の一例を示す平面図である。
【図２】図１のサービスレベル表を分解状態で示す平面図である。
【図３】図１に示すサービスレベル表の一部を拡大して示す使用説明図である。
【符号の説明】
【００１９】
１０  台紙
１１  表示区画
１２  内側の送り先表示領域
１３  外側の送り先表示領域
２０  回転板
２１  窓
３１  雄部材
３２  雌部材
【図１】
0003127802.tif 000003
【図２】
0003127802.tif 000004
【図３】
0003127802.tif 000005